(57)【要約】【課題】保管・輸送中における格納容器内の気密性を確保し、かつ気密性を有する格納容器を開封しやすいスポンジチタン格納容器の製造方法を提供する。【解決手段】スポンジチタン格納容器の製造方法であって、上端縁に胴板カールを有する胴体と、胴体の上端開口に開閉可能であって、外周縁に蓋カールを有する天板と、胴板カールと蓋カールとの間に挟み込むためのガスケットとを備えた格納容器に、スポンジチタンを格納した後、蓋カールと胴板カールとを外周側から包み込むように締結バンドを取り付け、締結部材で締結バンドを締付ける締付け工程Ｓ２１を含み、締結部材の締付けトルク量が１０Ｎ・ｍ以上３５Ｎ・ｍ以下となる。【選択図】図２
2020019506.tif 000002
【特許請求の範囲】
【請求項１】
上端縁に胴板カールを有する胴体と、前記胴体の上端開口に開閉可能であって、外周縁に蓋カールを有する天板と、前記胴板カールと前記蓋カールとの間に挟み込むためのガスケットとを備えた格納容器に、スポンジチタンを格納した後、前記蓋カールと前記胴板カールとを外周側から包み込むように締結バンドを取り付け、締結部材で前記締結バンドを締付ける締付け工程を含み、
前記締結部材の締付けトルク量が１０Ｎ・ｍ以上３５Ｎ・ｍ以下となる、スポンジチタン格納容器の製造方法。
【請求項２】
前記締結バンドは、リング形状のバンド本体を有し、
前記バンド本体は、一カ所に切れ目を設けた、請求項１に記載のスポンジチタン格納容器の製造方法。
【請求項３】
前記格納容器は、樹脂被覆鋼板、めっき鋼板、及び鋼板からなる群から選択される少なくとも１種を材料とする、請求項１又は２に記載のスポンジチタン格納容器の製造方法。
【請求項４】
前記格納容器に前記スポンジチタンを格納した時から、１年６ヶ月経過時における前記スポンジチタン中の酸素の増加量が０．００５質量％以下である、請求項１〜３のいずれか一項に記載のスポンジチタン格納容器の製造方法。
【請求項５】
上端縁に胴板カールを有する胴体と、前記胴体の上端開口に開閉可能であって、外周縁に蓋カールを有する天板と、前記胴板カールと前記蓋カールとの間に挟み込むためのガスケットとを有し、スポンジチタンを格納した格納容器と、
前記蓋カールと前記胴板カールとを外周側から包み込むように取り付けた締結バンドと、
前記締結バンドを締付けるための締結部材とを備え、
前記締結部材の締付けトルク量が１０Ｎ・ｍ以上３５Ｎ・ｍ以下である、スポンジチタン格納容器。
【請求項６】
上端縁に胴板カールを有する胴体と、前記胴体の上端開口に開閉可能であって、外周縁に蓋カールを有する天板と、前記胴板カールと前記蓋カールとの間に挟み込むためのガスケットとを備えた格納容器に、スポンジチタンを格納した後、前記蓋カールと前記胴板カールとを外周側から包み込むように締結バンドを取り付け、締結部材で前記締結バンドを締付ける締付け工程を含み、
前記締付け工程後における前記締結部材の締付けトルク量が１０Ｎ・ｍ以上３５Ｎ・ｍ以下となる、スポンジチタンの管理方法。
【請求項７】
前記格納容器に前記スポンジチタンを格納した時から、１年６ヶ月経過時における前記スポンジチタン中の酸素の増加量が０．００５質量％以下である、請求項６に記載のスポンジチタンの管理方法。
【発明の詳細な説明】
【技術分野】
【０００１】
本発明は、スポンジチタン格納容器の製造方法、スポンジチタン格納容器及びスポンジチタンの管理方法に関する。
【背景技術】
【０００２】
いわゆるオープン型ドラム缶（以下、「格納容器」と称する。）は、粉体、固体、或いは粘性が比較的高い液体等の出し入れが容易ではない内容物の保管・輸送に適している。ここで、固体としては、チタン等の金属が挙げられる。
【０００３】
チタンは、一般的に大気中の酸素と反応しやすく、特に微小な穴（細孔）を持つスポンジチタンとなればその表面積が大きいために、スポンジチタンが大気に接触することでその酸素濃度は高くなる。そこで、保管・輸送中にスポンジチタンの酸素濃度が高くなることを抑制するために、スポンジチタン格納容器には気密性を確保することが要求されている。
【０００４】
例えば、特許文献１では、スポンジチタン粒への吸湿を低減するため、クロール法により製造されたスポンジチタン塊の中央部を取り出し、破砕して得られたスポンジチタン粒を保管容器内に封入する際に、スポンジチタン粒が充填された保管容器内を４０Ｐａ以下まで減圧した後にその保管容器内に低湿度ガスを注入する高純度スポンジチタン粒の保管方法が提案されている。
【先行技術文献】
【特許文献】
【０００５】
【特許文献１】特開２０１２−８７３７３号公報
【発明の概要】
【発明が解決しようとする課題】
【０００６】
気密性を確保するために、スポンジチタン粒保管容器の蓋をバンドで固く締めた場合には、該バンドで締付けた力が大きくなりすぎたことで蓋の開封が困難となる。特許文献１では、スポンジチタン粒を封入した保管容器に注入された低湿度ガスを維持するために、バンドで締付けた力が大きいものと考えられる。そのため、保管および輸送の段階では保管容器内の気密性に影響を与えないが、ユーザは、保管容器の開封作業をする際に負担が掛かるおそれがある。特許文献１においてはボルトの締付けトルク量と気密性との関係について言及されていないので、ボルトの締付けトルク量については、未だ改善の余地が残されていると考えられる。
【０００７】
本発明は、一実施形態において、保管・輸送中における格納容器内の気密性を確保し、かつ気密性を有する格納容器を開封しやすいスポンジチタン格納容器の製造方法を提供することを目的とする。また、本発明は別の一実施形態において、そのようなスポンジチタン格納容器を提供することを目的とする。また、本発明は別の一実施形態において、スポンジチタンの管理方法を提供することを目的とする。
【課題を解決するための手段】
【０００８】
スポンジチタンは表面積が大きいので、大気中の酸素と反応しやすい。スポンジチタンの酸素量低減の観点より、スポンジチタンを格納した格納容器を開封する工程からスポンジチタンを使用する工程までスムーズに作業できることが望まれている。もし、ユーザが上記格納容器を開封しにくいと、中途半端な開封状態による格納容器内への酸素侵入やスポンジチタンの取り出し作業不良が生じる等によりスポンジチタンを使用する工程に支障が生じうる。そのため、格納容器のハンドリング性が良好であることが求められる。よって、締付けトルク量をユーザによる開封容易となるように調整したいという要望がある。
【０００９】
一方で、締付けトルク量が低すぎると、保管・輸送中に格納容器内への酸素侵入が危惧される。よって、保管・輸送中の気密性を確保しながらユーザが開封しやすいスポンジチタン格納容器が求められていた。そこで、本発明者は鋭意検討し、スポンジチタン格納容器の締付けトルク量を一定範囲内とすることで、保管・輸送中における格納容器内の気密性を確保し、かつ気密性を有する格納容器を開封しやすいスポンジチタン格納容器の製造方法を見出した。
【００１０】
すなわち、本発明は一側面において、上端縁に胴板カールを有する胴体と、前記胴体の上端開口に開閉可能であって、外周縁に蓋カールを有する天板と、前記胴板カールと前記蓋カールとの間に挟み込むためのガスケットとを備えた格納容器に、スポンジチタンを格納した後、前記蓋カールと前記胴板カールとを外周側から包み込むように締結バンドを取り付け、締結部材で前記締結バンドを締付ける締付け工程を含み、前記締結部材の締付けトルク量が１０Ｎ・ｍ以上３５Ｎ・ｍ以下となる、スポンジチタン格納容器の製造方法である。
【００１１】
本発明に係るスポンジチタン格納容器の製造方法の一実施形態においては、前記締結バンドは、リング形状のバンド本体を有し、前記バンド本体は、一カ所に切れ目を設ける。
【００１２】
本発明に係るスポンジチタン格納容器の製造方法の一実施形態においては、前記格納容器は、樹脂被覆鋼板、めっき鋼板、及び鋼板からなる群から選択される少なくとも１種を材料とする。
【００１３】
本発明に係るスポンジチタン格納容器の製造方法の一実施形態においては、前記格納容器に前記スポンジチタンを格納した時から、１年６ヶ月経過時における前記スポンジチタン中の酸素の増加量が０．００５質量％以下である。
【００１４】
また、本発明は別の一側面において、上端縁に胴板カールを有する胴体と、前記胴体の上端開口に開閉可能であって、外周縁に蓋カールを有する天板と、前記胴板カールと前記蓋カールとの間に挟み込むためのガスケットとを有し、スポンジチタンを格納した格納容器と、前記蓋カールと前記胴板カールとを外周側から包み込むように取り付けた締結バンドと、前記締結バンドを締付けるための締結部材とを備え、前記締結部材の締付けトルク量が１０Ｎ・ｍ以上３５Ｎ・ｍ以下である、スポンジチタン格納容器である。
【００１５】
また、本発明は別の一側面において、上端縁に胴板カールを有する胴体と、前記胴体の上端開口に開閉可能であって、外周縁に蓋カールを有する天板と、前記胴板カールと前記蓋カールとの間に挟み込むためのガスケットとを備えた格納容器に、スポンジチタンを格納した後、前記蓋カールと前記胴板カールとを外周側から包み込むように締結バンドを取り付け、締結部材で前記締結バンドを締付ける締付け工程を含み、前記締付け工程後における前記締結部材の締付けトルク量が１０Ｎ・ｍ以上３５Ｎ・ｍ以下となる、スポンジチタンの管理方法である。
【００１６】
本発明に係るスポンジチタンの管理方法の一実施形態においては、前記格納容器に前記スポンジチタンを格納した時から、１年６ヶ月経過時における前記スポンジチタン中の酸素の増加量が０．００５質量％以下である。
【発明の効果】
【００１７】
本発明の一実施形態によれば、保管・輸送中における格納容器内の気密性を確保し、かつ気密性を有する格納容器を開封しやすいスポンジチタン格納容器の製造方法を提供する。
【図面の簡単な説明】
【００１８】
【図１】（Ａ）は、本発明に係るスポンジチタン格納容器の製造方法の一実施形態において供される格納容器を模式的に示す概略正面図であり、（Ｂ）は、本発明に係るスポンジチタン格納容器の製造方法の一実施形態において供される格納容器に備わる締結バンド及び締結部材を模式的に示す部分拡大図であり、（Ｃ）は、本発明に係るスポンジチタン格納容器の製造方法の一実施形態において供される格納容器に備わる締結バンドを模式的に示す平面図である。
【図２】本発明に係るスポンジチタン格納容器の製造方法の一実施形態を説明するためのフロー図である。
【図３】（Ａ）〜（Ｄ）は、本発明に係るスポンジチタン格納容器の製造方法の一実施形態において、締付けトルク量を測定する方法を説明するための模式的な部分拡大図である。
【発明を実施するための形態】
【００１９】
以下、本発明の具体的な実施形態について詳細に説明する。なお、本発明は以下の実施形態に限定されるものではなく、本発明の要旨を変更しない範囲で種々の変更が可能である。
【００２０】
［１．スポンジチタン格納容器の製造方法］
図１（Ａ）は、本発明に係るスポンジチタン格納容器の製造方法の一実施形態において供される格納容器を模式的に示す概略正面図であり、図１（Ｂ）は、本発明に係るスポンジチタン格納容器の製造方法の一実施形態において供される格納容器に備わる締結バンド及び締結部材を模式的に示す部分拡大図であり、図１（Ｃ）は、本発明に係るスポンジチタン格納容器の製造方法の一実施形態において供される格納容器に備わる締結バンドを模式的に示す平面図である。図２は、本発明に係るスポンジチタン格納容器の製造方法の一実施形態を説明するためのフロー図である。図３（Ａ）〜（Ｄ）は、本発明に係るスポンジチタン格納容器の製造方法の一実施形態において、締付けトルク量を測定する方法を説明するための模式的な部分拡大図である。
【００２１】
まず、本発明に係るスポンジチタン格納容器の製造方法において供される格納容器について図面を用いて説明する。格納容器１は、図１（Ａ）及び（Ｂ）に示すように、胴体１０と、天板２０と、地板３０と、締結バンド４０と、締結部材５０とを備える。格納容器１は、耐酸化性という観点から、樹脂被覆鋼板、めっき鋼板、及び鋼板からなる群から選択される少なくとも１種を材料とすることが好ましい。なお、図１（Ａ）では天板２０が締結バンド４０の奥側に隠れているため括弧付きで付番してある。
樹脂被覆鋼板としては、例えば、フッ素樹脂積層被覆鋼板、塩化ビニル樹脂被覆鋼板、ポリエチレン樹脂被覆鋼板等が挙げられる。
めっき鋼板としては、例えば亜鉛めっき鋼板、亜鉛−アルミニウム合金めっき鋼板等が挙げられる。
鋼板がめっき層と樹脂層を備える場合、最も外側の層に基づきめっき鋼板か樹脂被覆鋼板かを判別する。例えば、鋼板表面にめっき層が形成され、該めっき層にさらに樹脂層が形成されている場合は最外層が樹脂層であるので樹脂被覆鋼板とする。また、鋼板の一方表面最外層がめっき層であり、他方最外層が樹脂層である場合、格納容器１の内側（スポンジチタン格納側）となる最外層に基づきめっき鋼板か樹脂被覆鋼板かを判別する。
鋼板としては、例えば炭素鋼の鋼板、ステンレス鋼板、クラッド鋼板等が挙げられる。鋼板を使用して格納容器を成形した場合、成形後の格納容器にめっき処理等を施して耐酸化性を向上してもよい。
なお、本実施形態において、顔料等の塗料層は、鋼板の判別に考慮しない。
【００２２】
胴体１０は、中空構造であって、上端縁にフランジ状の胴板カール１１を有する。胴体１０には、２本の輪帯１２ａ、ｂが設けられ、これらの輪帯１２ａ、ｂは格納容器１の高さ方向に等間隔に配置されている。
【００２３】
天板２０は、胴体１０の上端開口に開閉可能であって、外周縁にフランジ状の蓋カール２１を有する。蓋カール２１は、胴板カール１１よりも大きく、天板２０が胴体１０の上端開口に装着されたときに、その蓋カール２１は、ガスケット２２を介して胴板カール１１に被せられる。なお、ガスケット２２は、蓋カール２１の内側に貼り付けられてもよい。また、天板２０の外表面には、図示省略の排気口金と充填口金とが設けられている。
【００２４】
地板３０は、胴体１０の下端開口を閉塞するために、その外周縁と胴体１０の下端縁を接合させて取り付けられている。
【００２５】
図１（Ｃ）に示した締結バンド４０は、リング形状のバンド本体４１を有し、バンド本体４１は、一カ所に切れ目４１ａを設けている。バンド本体４１の内周は、締結バンド４０着脱の作業性を向上させるという観点から、天板２０の外周よりも短く設定されている。バンド本体４１には、一対のＳ字金具４２、４２’が、その両端にそれぞれ取り付けられ、そのＳ字金具４２、４２’はパイプ状のボルト挿通部４３、４３’を設けている。
【００２６】
締結部材５０は、ボルト５１とボルト５１に螺合するナット５２とを備え、ナット５２の回転を防止するために、座金を更に備えてもよい。
【００２７】
次に、本発明に係るスポンジチタン格納容器の製造方法における各工程について図面を使用しながら説明する。本発明に係るスポンジチタン格納容器の製造方法は、一実施形態において、図２に示すように、真空引き工程Ｓ１１と、締付け工程Ｓ２１と、充填封入工程Ｓ３１とを有する。
【００２８】
（真空引き工程）
真空引き工程Ｓ１１では、格納容器１にスポンジチタンを格納し、天板２０で胴体１０の上端開口を塞ぎ、蓋カール２１と胴板カール１１とを外周側から包み込むように締結バンド４０を取り付ける。天板２０に設けられた排気口金に連結したパイプを介して真空ポンプで真空引きする。これにより、格納容器１内の空気及び水分を外部へ排出することができる。なお、格納容器１内を、典型的に１０００Ｐａ以下（絶対圧）に減圧排気すればよく、６００Ｐａ以下（絶対圧）としてもよい。
【００２９】
（締付け工程）
次に、締付け工程Ｓ２１では、真空引き工程Ｓ１１中、またはその後に、締結部材５０で締結バンド４０を締付ける。
【００３０】
（充填封入工程）
充填封入工程Ｓ３１では、締付け工程Ｓ２１後、充填口金に連結したパイプを介して不活性ガスボンベで所定の内部圧力になるまで格納容器１内に不活性ガスを充填して、スポンジチタン格納容器を製造する。なお、内部圧力は、典型的に大気圧であるが、これには限定されない。内部圧力はドラム缶の形状を維持できる圧力であれば足り、これはドラム缶のサイズや材料鋼板の厚さ等に鑑み適宜決定すればよい。
【００３１】
上記不活性ガスは特に限定されないが、他の物質と反応しない不活性な物性を有するという観点からＡｒガスやＨｅガスが好ましい。コストに鑑み、不活性ガスはＡｒガスがより好ましい。
【００３２】
格納容器１にスポンジチタンを格納した時から、１年６ヶ月経過時におけるスポンジチタン中の酸素の増加量は、０．００５質量％以下であることが好ましく、０．００３質量％以下であることがより好ましい。なお、格納期間中におけるスポンジチタン組成の変化は好ましくないので、該スポンジチタン中の酸素の増加量の下限側は特に規定しない。
ここで、スポンジチタンについては、酸素分析装置を用いて、不活性ガス溶融非分散型赤外吸収法によって酸素量を分析する。
【００３３】
（締付けトルク量）
締付け工程Ｓ２１時における締結部材５０の締付けトルク量は、１０Ｎ・ｍ以上３５Ｎ・ｍ以下となる。上記締付けトルク量は、格納容器１内の気密性を確保するという観点から、下限側として１０Ｎ・ｍ以上であり、１２Ｎ・ｍ以上が好ましく、１５Ｎ・ｍ以上がより好ましい。また、上記締付けトルク量は、ユーザが気密性を有する格納容器１を開封しやすいことを考慮し、上限側として３５Ｎ・ｍ以下であり、２５Ｎ・ｍ以下が好ましく、２０Ｎ・ｍ以下がより好ましい。
【００３４】
締付け時の締付けトルク量が１０Ｎ・ｍ未満であると格納容器１内の気密性が不十分となるおそれがある。一方、締付け時の締付けトルク量が３５Ｎ・ｍを超えると本実施形態が意図する開封容易性が損なわれるおそれがある。通常、締付け時と保管後では締付けトルク量がほぼ同等となる。仮に格納容器１が錆びやすい状況にて保管される場合は開封時に必要なトルク量が増加する可能性があるため、締付け時の締付けトルク量は少なくとも１０Ｎ・ｍ以上とし、かつ上記上限側より低めのトルク量とすればよい。締付けトルク量を締付け工程Ｓ２１およびスポンジチタン格納容器の開封時に確認しうる場合は、開封時の締付けトルク量を採用する。
【００３５】
締結部材５０の締付けトルク量を確認する方法について図３（Ａ）〜（Ｄ）に示す順序に従って説明する。
まず、図３（Ａ）に示すように、スポンジチタンを格納容器１に格納した後、蓋カール２１と胴板カール１１とを外周側から包み込むように締結バンド４０を取り付け、締結部材５０で締付ける。図３（Ｂ）に示すように、Ｓ字金具４２、４２’の外表面とナット５２の側面にマーキングチョークで１本のラインＬをマーキングする。マーキングした後、ボルト５１またはナット５２を緩めると、図３（Ｃ）に示すように、Ｓ字金具４２、４２’の外表面とナット５２の側面のラインＬが不一致となる。但し、図３（Ｃ）ではナット５２の位置をボルト挿通部４３’から極端に離してある。そして、再度、図３（Ｄ）に示すように、Ｓ字金具４２、４２’の外表面とナット５２の側面にマーキングしたラインＬを一致させるために、自動測定器付きトルクレンチでボルト５１またはナット５２を締付ける。ラインＬが一致したときに、自動測定器付きトルクレンチから計測された数値を、締付けトルク量とする。
例えばこのような手法を使用し、所望の締付けトルク量を実現する作業を検証可能である。気密性を有する格納容器の締結部材５０を一旦緩めてしまうと気密性が損なわれるおそれがある。よって、上記締付けトルク量を確認する方法を活用し、所望の締付けトルク量を実現できる作業を事前に設定することが好ましい。
【００３６】
［２．スポンジチタン格納容器］
本発明に係るスポンジチタン格納容器は、一実施形態において、上端縁に胴板カール１１を有する胴体１０と、胴体１０の上端開口に開閉可能であって、外周縁に蓋カール２１を有する天板２０と、胴板カール１１と蓋カール２１との間に挟み込むためのガスケット２２とを有し、スポンジチタンを格納した格納容器１と、蓋カール２１と胴板カール１１とを外周側から包み込むように取り付けた締結バンド４０と、締結バンド４０を締付けるための締結部材５０とを備える。そして、締結部材５０の締付けトルク量は１０Ｎ・ｍ以上３５Ｎ・ｍ以下である。なお、上述したスポンジチタン格納容器の製造方法と重複する説明を割愛する。
【００３７】
［３．スポンジチタンの管理方法］
本発明に係るスポンジチタンの管理方法は、一実施形態において、上端縁に胴板カール１１を有する胴体１０と、胴体１０の上端開口に開閉可能であって、外周縁に蓋カール２１を有する天板２０と、胴板カール１１と蓋カール２１との間に挟み込むためのガスケット２２とを備えた格納容器１に、スポンジチタンを格納した後、蓋カール２１と胴板カール１１とを外周側から包み込むように締結バンド４０を取り付け、締結部材５０で締結バンド４０を締付ける締付け工程Ｓ２１を含む。そして、締付け工程Ｓ２１後における締結部材５０の締付けトルク量が１０Ｎ・ｍ以上３５Ｎ・ｍ以下となる。なお、上述したスポンジチタン格納容器の製造方法と重複する説明を割愛する。
【実施例】
【００３８】
以下、本発明の内容を実施例及び比較例によってさらに具体的に説明するが、本発明はこれらの例によってなんら限定されるものではない。
【００３９】
（実施例１）
まず、図１（Ａ）及び（Ｂ）に示すように、上端縁に胴板カール１１を有する胴体１０と、胴体１０の上端開口に開閉可能であって、外周縁に蓋カール２１を有する天板２０と、胴板カール１１と蓋カール２１との間に挟み込むためのガスケット２２とを備えた格納容器（ＪＩＳ  Ｚ  １６００に基づいた鋼製オープンドラム缶）を用意した。蓋カール２１は、合成ゴム製のガスケット２２を取り付けた。格納容器１にスポンジチタンを格納し、天板２０で胴体１０の上端開口を塞いだ。次に、蓋カール２１と胴板カール１１とを外周側から包み込むように締結バンド４０を取り付けた。
【００４０】
次に、天板２０の外表面に設けた排気口金とパイプを介して接続された真空ポンプで格納容器１内を５００Ｐａ（絶対圧）となるように減圧雰囲気にした。
【００４１】
次に、締結部材５０で締結バンド４０を締付けた。
【００４２】
次いで、天板２０の外表面に設けた充填口金とパイプを介して接続されたアルゴンガスボンベで格納容器１内を大気圧（１０１．３ｋＰａ（絶対圧））となるようにアルゴンガスを充填させた。これにより、気密性を有するスポンジチタン格納容器を製造した。
【００４３】
＜締付けトルク量＞
図３（Ａ）〜（Ｄ）に示す順序に従って、計測機器（登録商標デジラチェ、ＫＴＣ社製）を計測モードにし、スポンジチタン格納容器を製造後屋内にて１年６ヶ月保管時における締付けトルク量を計測した。なお、別ロットにて締付け工程を再現して締付け工程での締付けトルク量も計測した。スポンジチタン格納容器を１年６ヶ月保管した後においても該締付けトルク量は締付け工程にて確認された締付けトルク量と同等程度であったため、表１には１年６ヶ月保管時における締付けトルク量を示す。
【００４４】
＜酸素濃度の経時変化＞
製造したスポンジチタン格納容器を屋内に１年６ヶ月置いた。
なお、酸素・窒素分析装置（ＴＣ−４３６ＡＲ、ＬＥＣＯ株式会社製）を用いて、不活性ガス溶融非分散型赤外吸収法によって、スポンジチタンの酸素量を分析した。分析は、格納容器への格納前（表１に示す「格納時」）およびスポンジチタンを格納した時から１年６ヶ月経過時（表１に示す「保管後」）とした。
【００４５】
＜開封に関する評価＞
スポンジチタン格納容器を製造後１年６ヶ月経過時のスポンジチタン格納容器１を開封したことについて、下記基準で評価した。「〇」評価が合格である。なお、結果を表１に示す。
（評価基準）
○：スポンジチタン格納容器を速やかに開封することができた。
△：スポンジチタン格納容器を開封するのに時間を要したが、開封することができた。
×：スポンジチタン格納容器を開封することができなかった。
【００４６】
【表１】
2020019506.tif 000003
【００４７】
（比較例１）
比較例１では、屋内保存時におけるスポンジチタンの酸素吸収を検証した。製造したスポンジチタンを格納容器に入れないで実施例１の格納容器と同じ場所に１００日間置いた。スポンジチタンの屋内静置時および１００日経過時に実施例１と同様の方法でスポンジチタンの酸素量を分析した。なお、結果を表２に示す。
【００４８】
【表２】
2020019506.tif 000004
【００４９】
（比較例２）
比較例２では、実施例１よりも締付けトルク量が大きくなるように調整したこと以外、実施例１と同様に行った。実施例１と同様に、各評価について実施した。なお、結果を表３に示す。
【００５０】
【表３】
2020019506.tif 000005
【００５１】
（実施例による考察）
実施例１では、比較例２のように締付けトルク量を大きくしなくても、良好な気密性を確保でき、格納容器に格納されたスポンジチタンが外気と遮断されていたといえる。一方、比較例１では、外気の影響によりスポンジチタンの酸素量が経時的に上昇したと考えられる。
【００５２】
実施例１では、スポンジチタンを格納した時から１年６ヶ月経過時における格納容器を容易に開封することができた。一方、比較例２では、スポンジチタンを格納した時から１年６ヶ月経過時における格納容器を開封するのに多少時間を要した。比較例２では、実施例１よりも締付けトルク量が大きく開封しにくかった。なお、締付けトルク量を比較例２よりさらに大きくした場合、既存のスポンジチタン使用ラインにて開封困難となるケースが発生した。
【符号の説明】
【００５３】
１  格納容器
１０  胴体
１１  胴板カール
１２ａ、ｂ  輪帯
２０  天板
２１  蓋カール
２２  ガスケット
３０  地板
４０  締結バンド
４１  バンド本体
４１ａ  切れ目
４２、４２’  Ｓ字金具
４３、４３’  ボルト挿通部
５０  締結部材
５１  ボルト
５２  ナット
Ｌ  ライン
Ｓ１１  真空引き工程
Ｓ２１  締付け工程
Ｓ３１  充填封入工程
【図１】
2020019506.tif 000006
【図２】
2020019506.tif 000007
【図３】
2020019506.tif 000008